(57)【要約】【課題】  従来のコンクリートアンカー抜き取り工具にない（１）工具の種類を減らし、（２）脱落防止機構を用いて、（３）工具の材質を耐久力に富んだ材質で形成した新規なコンクリートアンカー抜き取り工具を提供することにある。【解決手段】  コンクリート構造物に打ち込まれたアンカーを抜き取るための抜き取り工具１０を揃えたコンクリートアンカー抜き取り工具セット１である。コンクリートアンカーの内側ねじ溝に螺合するねじ部２０と、ねじ部２０の一端側にコンクリートアンカーのコーンに当接し押圧する先端部３０と、ねじ部２０の反先端部側に１又は２種類以上のねじ部回転用手動又は電動工具との接続可能な接続部４０とからなる抜き取り工具をコンクリートアンカーのサイズに合わせて複数本備えるとともに、全ての抜き取り工具の取付部は、同一形状に統一されたもので構成されていることを特徴とする。【選択図】  図１
2010105083.tif 000002
【特許請求の範囲】
【請求項１】
コンクリート構造物に打ち込まれたアンカーを抜き取るための抜き取り工具を揃えたコンクリートアンカー抜き取り工具セットであって、
コンクリートアンカーの内側ねじ溝に螺合するねじ部と、ねじ部の一端側にコンクリートアンカーのコーンに当接し押圧する先端部と、ねじ部の反先端部側に１又は２種類以上のねじ部回転用手動又は電動工具との接続可能な接続部とからなる抜き取り工具をコンクリートアンカーのサイズに合わせて複数本備えるとともに、全ての抜き取り工具の取付部は、同一形状に統一されたもので構成されていることを特徴とするコンクリートアンカー抜き取り工具セット。
【請求項２】
全ての抜き取り工具には紐状の脱落防止部材を備えていることを特徴とする請求項１記載のコンクリートアンカー抜き取り工具セット。
【請求項３】
ねじ部のねじ径６ｍｍ・ねじ部の最小長さ３５ｍｍ・先端部の長さ１５ｍｍ，ねじ部のねじ径８ｍｍ・ねじ部の最小長さ４０ｍｍ・先端部の長さ１７ｍｍ，ねじ部のねじ径１０ｍｍ・ねじ部の最小長さ４５ｍｍ・先端部の長さ２０ｍｍ，ねじ部のねじ径１２ｍｍ・ねじ部の最小長さ５５ｍｍ・先端部の長さ２５ｍｍ，ねじ部のねじ径１／４インチ・ねじ部の最小長さ３５ｍｍ・先端部の長さ１５ｍｍ，ねじ部のねじ径５／１６インチ・ねじ部の最小長さ４０ｍｍ・先端部の長さ１７ｍｍ，ねじ部のねじ径３／８インチ・ねじ部の最小長さ４５ｍｍ・先端部の長さ２０ｍｍ，ねじ部のねじ径１／２インチ・ねじ部の最小長さ５５ｍｍ・先端部の長さ２５ｍｍの寸法からなる抜き取り工具のいずれか２以上を備えることを特徴とする請求項１又は２記載のコンクリートアンカー抜き取り工具セット。
【請求項４】
接続部はラチェットレンチ及び電動ドライバーと接続可能なナット及び電動工具用軸部からなることを特徴とする請求項１から３のいずれかに記載のコンクリートアンカー抜き取り工具セット。
【請求項５】
抜き取り工具は高硬度工具鋼からなることを特徴とする請求項１から４のいずれかに記載のコンクリートアンカー抜き取り工具セット。
【発明の詳細な説明】
【技術分野】
【０００１】
本願発明は、コンクリート構造物の建築産業にあって、足場や工事用仮設構造物を一時的に設置するためのコンクリートアンカーを抜き取る工具に関するものである。
【背景技術】
【０００２】
コンクリート構造物からコンクリートアンカーを抜き取るための工具としては、従来、特許文献１や特許文献２に開示されたものが存在していた。これら先行技術文献に開示されたコンクリートアンカー抜き取り工具の基本的構造は、コンクリートアンカーの内側ねじ溝にねじ部を螺合させるとともにねじ部の一端にある先端部でコンクリートアンカーのコーンを押さえることで、ねじ部をねじ込む反力でアンカー本体が引き上げられてコンクリートを破損することなく抜き取ることができるものである（特許文献１及び２参照）。
【特許文献１】実用新案登録第３０８２０８４号公報
【特許文献２】特開２００５−６６７２５号公報
【発明の開示】
【発明が解決しようとする課題】
【０００３】
しかしながら、従来のコンクリートアンカー抜き取り工具には、以下のような課題を有していた。
（１）抜き取り対象となるコンクリートアンカーの径と長さごとに、多くの種類のボルト又は抜き取り工具と、それを回転して締め付けるためのナット径を有する工具を用意しなければならず、煩雑であること。
（２）高所作業が多いにも関わらず、抜き取り作業の際に抜き取り工具を落下させたり、紛失し易く、安全上好ましくないこと。
（３）前記抜き取り工具の先端及びねじ部には、抜き取り作業時に大きなトルクと摩擦が働き、耐久性が必要とされること。
【０００４】
そこで、以下のような目的を達成すべく、本願発明者らによる鋭意試験・研究の結果、本願発明を完成するに至った。
（１）工具の種類を減らすこと。
（２）脱落防止機構を用いること。
（３）工具の材質を耐久力に富んだ材質で形成すること。
【課題を解決するための手段】
【０００５】
上記目的を達成するための第１の発明は、コンクリート構造物に打ち込まれたアンカーを抜き取るための抜き取り工具を揃えたコンクリートアンカー抜き取り工具セットであって、コンクリートアンカーの内側ねじ溝に螺合するねじ部と、ねじ部の一端側にコンクリートアンカーのコーンに当接し押圧する先端部と、ねじ部の反先端部側に１又は２種類以上のねじ部回転用手動又は電動工具との接続可能な接続部とからなる抜き取り工具をコンクリートアンカーのサイズに合わせて複数本備えるとともに、全ての抜き取り工具の取付部は、同一形状に統一されたもので構成されていることを特徴とするものである。
第２の発明は、全ての抜き取り工具には紐状の脱落防止部材を備えていることを特徴とする同コンクリートアンカー抜き取り工具セットである。
第３の発明は、ねじ部のねじ径６ｍｍ・ねじ部の最小長さ３５ｍｍ・先端部の長さ１５ｍｍ，ねじ部のねじ径８ｍｍ・ねじ部の最小長さ４０ｍｍ・先端部の長さ１７ｍｍ，ねじ部のねじ径１０ｍｍ・ねじ部の最小長さ４５ｍｍ・先端部の長さ２０ｍｍ，ねじ部のねじ径１２ｍｍ・ねじ部の最小長さ５５ｍｍ・先端部の長さ２５ｍｍ，ねじ部のねじ径１／４インチ・ねじ部の最小長さ３５ｍｍ・先端部の長さ１５ｍｍ，ねじ部のねじ径５／１６インチ・ねじ部の最小長さ４０ｍｍ・先端部の長さ１７ｍｍ，ねじ部のねじ径３／８インチ・ねじ部の最小長さ４５ｍｍ・先端部の長さ２０ｍｍ，ねじ部のねじ径１／２インチ・ねじ部の最小長さ５５ｍｍ・先端部の長さ２５ｍｍの寸法からなる抜き取り工具のいずれか２以上を備えることを特徴とする同コンクリートアンカー抜き取り工具セットである。
第４の発明は、接続部がラチェットレンチ及び電動ドライバーと接続可能なナット及び電動工具用軸部からなることを特徴とする同コンクリートアンカー抜き取り工具セットである。
第５の発明は、抜き取り工具が高硬度工具鋼からなることを特徴とする同コンクリートアンカー抜き取り工具セットである。
【発明の効果】
【０００６】
上記の本願発明によれば、以下のような効果を有する。
（１）１つの工具（ラチェットレンチ，電動ドライバー等）で全ての種類のコンクリートアンカーの抜き取り作業が行えるので、極めて利便性の高い抜き取り工具を提供できる。
（２）脱落防止機構（脱落防止部材）が付いているので、抜き取り時に工具を落下させて紛失・破損することがなく、非常に便利である。
（３）高硬度の工具鋼で製作されているので非常に長持ちし、経済的である。
【発明を実施するための最良の形態】
【０００７】
本願発明の実施形態を図面に基づいて説明する。
図１は、コンクリートアンカー抜き取り工具を示す説明図である。
図１に示すコンクリートアンカー抜き取り工具（以下「抜き取り工具」）１０は、ねじ部２０と先端部３０と接続部４０とを備える。ねじ部２０は、コンクリートアンカー（図示省略）の内側ねじ溝に螺合する部分である。先端部３０は、ねじ部２０の一端側にあってコンクリートアンカーのコーンに当接し押圧する部分である。ここで、符号ａは、ねじ部２０のねじ径、符号ｂはねじ部２０の長さ、符号ｃは先端部３０の長さを示している。
【０００８】
すなわち、コンクリートアンカーを構成するコーンを先端部２０で押圧（押さえ付け）しながらねじ部２０をコンクリートアンカーの内側ねじ溝にねじ込む反力で、アンカー本体が引き上げられてコンクリートを破損することなくコンクリートアンカーを抜き取ることができる構造となっている。
なお、符号５０は、抜き取り工具１０の脱落を防止するために作業者や作業工具に取付可能な紐状の脱落防止部材である。この脱落防止部材によって、抜き取り工具１０の落下による紛失・破損等を防止できる。
【０００９】
また、接続部４０は、ねじ部２０の反先端部側に１又は２種類以上のねじ部回転用手動又は電動工具との接続可能な部分となっている。本実施形態の抜き取り工具１０では、ラチェットレンチとの接続可能なＭ１７ナット（１７ｍｍナット）４１と電動ドライバーとの接続可能なＭ６．３５電動工具用軸部４２とからなっている。この寸法であれば、市販のラチェットレンチや電動ドライバーと接続可能であり、抜き取り工具１０を使用するのに特別な工具を必要としないで済む。また、ラチェットレンチ用のナット４１と電動ドライバー用のＭ６．３５電動工具用軸部４２の双方を備えているため、いずれか一方の工具があれば足りる。なお、接続部４０は、図示したようにラチェットレンチ接続用ナット４１と電動ドライバー接続用Ｍ６．３５電動工具用軸部４２の２箇所を設けることに限らず、１箇所又は３箇所以上設けてもよい。なお、符号４５はＯリングであるが、この機構はボールロック式でも良い。
【００１０】
そして、上記した抜き取り工具１０の材質は、高硬度工具鋼であることが好ましい。抜き取り工具１０のねじ部２０や先端部３０には、抜き取り作業時に大きなトルクと摩擦が働き、耐久性が必要とされるからである。高硬度工具鋼としては、具体的に、ＳＫ，ＳＫＨ，ＳＫＤ等の材質が挙げられる。
【００１１】
図２は、コンクリートアンカー抜き取り工具セットの外観を示す説明図である。
図２に示すようにコンクリートアンカー抜き取り工具セット（以下「抜き取り工具セット」）１は、抜き取り工具１０を複数本揃えた工具セットである。この抜き取り工具セット１には、次の２点の特徴を備えている。
（１）抜き取り工具１０のねじ部２０と先端部３０のサイズを市販されているコンクリートアンカーのサイズに合わせて複数本揃えていること。
（２）抜き取り工具１０の接続部４０の形状（サイズ）を全て同一形状（同一サイズ）に統一していること。
【００１２】
上記（１）の特徴については、図３に示すコンクリートアンカー抜き取り工具セットの種類を示す一覧表を用いて説明する。図３の一覧表は、現在市販されているコンクリートアンカーのサイズを一覧表にしてものである。なお、上段はコンクリートアンカーの内側ねじ溝のねじ径がミリ単位のもの、下段は同ねじ径がインチ単位のものである。そして、現在市販されているコンクリートアンカーに対しては、一覧表右端欄に記載されている８種類（８サイズ）の抜き取り工具１０があれば、その全てに対応できることが判明した。従って、抜き取り工具セット１が少なくとも以下に示す８種類（８サイズ）の抜き取り工具１０を揃えていれば、いかなるコンクリートアンカーの抜き取りにも対応できる。
［１］ねじ部のねじ径（ａ）      ６ｍｍ
ねじ部の最小長さ（ｂ）  ３５ｍｍ
先端部の長さ（ｃ）      １５ｍｍ
［２］ねじ部のねじ径（ａ）      ８ｍｍ
ねじ部の最小長さ（ｂ）  ４０ｍｍ
先端部の長さ（ｃ）      １７ｍｍ
［３］ねじ部のねじ径（ａ）    １０ｍｍ
ねじ部の最小長さ（ｂ）  ４５ｍｍ
先端部の長さ（ｃ）      ２０ｍｍ
［４］ねじ部のねじ径（ａ）    １２ｍｍ
ねじ部の最小長さ（ｂ）  ５５ｍｍ
先端部の長さ（ｃ）      ２５ｍｍ
［５］ねじ部のねじ径（ａ）  １／４インチ
ねじ部の最小長さ（ｂ）  ３５ｍｍ
先端部の長さ（ｃ）      １５ｍｍ
［６］ねじ部のねじ径（ａ）５／１６インチ
ねじ部の最小長さ（ｂ）  ４０ｍｍ
先端部の長さ（ｃ）      １７ｍｍ
［７］ねじ部のねじ径（ａ）  ３／８インチ
ねじ部の最小長さ（ｂ）  ４５ｍｍ
先端部の長さ（ｃ）      ２０ｍｍ
［８］ねじ部のねじ径（ａ）  １／２インチ
ねじ部の最小長さ（ｂ）  ５５ｍｍ
先端部の長さ（ｃ）      ２５ｍｍ
【００１３】
次に、上記（２）の特徴については、接続部４０の形状（サイズ）を全て同一形状（同一サイズ）に統一することで、ねじ部２０の回転用工具（手動又は電動工具）を必要最低限の数に抑えることができる。すなわち、図２に示す接続部４０のように全ての抜き取り工具１０の接続部をラチェットレンチ接続用ナット４１と電動工具用軸部４２で統一すれば、Ｍ１７ナット（１７ｍｍナット）４１に対応可能なラチェットレンチ又はＭ６．３５電動工具用軸部４２に対応可能な電動ドライバーがあれば足りる。抜き取り工具１０の種類（サイズ）によって、ねじ部回転用工具を替える必要がなくなるのである。従って、作業効率が極めて向上する。
【産業上の利用可能性】
【００１４】
本願発明は、コンクリート構造物に打ち込まれたアンカー（コンクリートアンカー）を抜き取るための抜き取り工具として幅広く利用できるものである。
【図面の簡単な説明】
【００１５】
【図１】コンクリートアンカー抜き取り工具を示す説明図。
【図２】コンクリートアンカー抜き取り工具セットの外観を示す説明図。
【図３】コンクリートアンカー抜き取り工具セットの種類を示す一覧表。
【符号の説明】
【００１６】
１  コンクリートアンカー抜き取り工具セット（抜き取り工具セット）
１０  コンクリートアンカー抜き取り工具（抜き取り工具）
２０  ねじ部
３０  先端部
４０  接続部
４１  ラチェットレンチ接続用ナット
４２  電動工具用軸部
４５  Ｏリング
５０  脱落防止部材
ａ  ねじ部のねじ径
ｂ  ねじ部の長さ
ｃ  先端部の長さ
【図１】
2010105083.tif 000003
【図２】
2010105083.tif 000004
【図３】
2010105083.tif 000005